(57)【要約】      （修正有）【課題】ウィンカーの消し忘れ防止手段として所定時間経過後にウィンカーを消灯させてしまうため、信号待ち時間が長い交差点や路上駐車の場合などではウィンカーが自動的に消えてしまうが、その様な設定時間以上でもウィンカーの点灯を維持させる。【解決手段】ウィンカーとタイマー回路と警告手段とを備え、前記ウィンカーをＯＮさせたとき前記タイマー回路を作動させ、前記ウィンカーがＯＮの状態で所定時間経過後に前記警告手段を作動させる。【選択図】図１
2012153241.tif 000002
【特許請求の範囲】
【請求項１】
ウィンカーとタイマー回路と警告手段とを備え、前記ウィンカーをＯＮさせたとき前記タイマー回路を作動させ、前記ウィンカーがＯＮの状態で所定時間経過後に前記警告手段を作動させることを特徴とする自動二輪車用ウィンカー消し忘れ防止装置。
【請求項２】
前記警告手段が点灯手段又は警報手段であることを特徴とする請求項１の自動二輪車用ウィンカー消し忘れ防止装置。
【請求項３】
前記点灯手段を自動二輪車の計器盤に設置したことを特徴とする請求項２の自動二輪車用ウィンカー消し忘れ防止装置。
【請求項４】
前記警報手段を自動二輪車のカウリングの内壁面に設置したことを特徴とする請求項２の自動二輪車用ウィンカー消し忘れ防止装置。
【発明の詳細な説明】
【技術分野】
【０００１】
この発明は自動二輪車用ウィンカー消し忘れ装置に関し、自動二輪車においてウィンカーの消し忘れを防止するために使用されるものである。
【背景技術】
【０００２】
従来におけるこの種のウィンカー消し忘れ装置は、ウィンカーとタイマー回路とを備え、前記ウィンカーをＯＮさせたとき前記タイマー回路を作動させ、所定時間経過後に前記ウィンカーをＯＦＦすることによって、ウィンカーの消し忘れを防止していた。
【０００３】
【特許文献１】実開平６−１２１８８号公報
【発明の開示】
【発明が解決しようとする課題】
【０００４】
しかしながら、かかる従来のウィンカー消し忘れ装置にあっては、前記所定時間経過後に自動的にウィンカーをＯＦＦさせるものであっため、設定時間以上にウィンカーの点灯が必要な場合、例えば、信号の長い交差点、路上駐車の場合にもウィンカーは自動的に消えてしまい、この結果、ライダーにとって安全な走行をしにくいという不都合を有した。
【０００５】
この発明の課題はこの不都合を解消することである。
【課題を解決するための手段】
【０００６】
前記不都合を解消するために、この発明に係る自動二輪車用ウィンカー消し忘れ防止装置においては、ウィンカーとタイマー回路と警告手段とを備え、前記ウィンカーをＯＮさせたとき前記タイマー回路を作動させ、前記ウィンカーがＯＮの状態で所定時間経過後に前記警告手段を作動させるものである。  
【０００７】
この場合、前記警告手段としては点灯手段又は警報手段が適している。
【０００８】
なお、点灯手段は自動二輪車の計器盤に設置し、警報手段は自動二輪車のカウリングの内壁面に設置することができる。
【発明の効果】
【０００９】
この発明に係る自動二輪車用ウィンカー消し忘れ防止装置は上記のように構成されているため、即ち、ウィンカーとタイマー回路と警告手段とを備え、前記ウィンカーをＯＮさせたとき前記タイマー回路を作動させ、前記ウィンカーがＯＮの状態で所定時間経過後に前記警告手段を作動させるものであるため、ウィンカーを消し忘れた場合にはその状態をライダーに自動的且つ的確に報知し、ライダーにウィンカーのＯＦＦを促すことができる。又、ライダーにとって、ウィンカーの点灯が長時間必要な場合にはライダーがＯＦＦにしない限り消えることなく動作するものである。
【００１０】
よって、この自動二輪車用ウィンカー消し忘れ防止装置を使用すれば、ウィンカーの消し忘れを防止できるとともに設定時間以上にウィンカーの点灯が必要な場合、例えば、信号の長い交差点、路上駐車の場合にもウィンカーの点灯状態を維持させることができるため、ライダーにとって安全な走行をしやすいものである。
【００１１】
この場合、前記警告手段として点灯手段又は警報手段を使用すれば、ウィンカーの消し忘れ状態を視覚又は聴覚を介してライダーに的確に訴えることができる。
【００１２】
なお、点灯手段を自動二輪車の計器盤に設置すれば、ライダーにとって見やすく、警報手段を自動二輪車のカウリングの内壁面に設置すれば、警報がカウリングの内壁面に反射してライダーにとって聴き取りやすいものである。
【発明を実施するための最良の形態】
【００１３】
この発明に係る自動二輪車用ウィンカー消し忘れ防止装置はウィンカーとタイマー回路と警告手段とを備えている。前記ウィンカーをＯＮさせたとき前記タイマー回路を作動させ、前記ウィンカーがＯＮの状態で所定時間経過後に前記警告手段を作動させる。タイマーの設定時間は約３分位がてきしている。
点灯手段としてはフラッシュライト、警報手段としては報知ブザーが適しているが、同じ機能を有するかぎり、他のいずれの手段でもよい。
【００１４】
前記点灯手段は自動二輪車の計器盤に設置すればライダーにとって見やすいが他の位置でもよい。
【００１５】
前記警報手段を自動二輪車のカウリングの内壁面に設置すればライダーにとって聴き取りやすいが他の位置への設置を除外するものではない。
【実施例】
【００１６】
以下、この発明の実施例を図面に基づいて説明する。
【００１７】
図１はこの発明に係る自動二輪車用ウィンカー消し忘れ防止装置の作動システムの流れ図、図２は自動二輪車の同計器盤の正面図、図３は自動二輪車における警告手段の使用状態を示した図である。
【００１８】
この発明に係る自動二輪車用ウィンカー消し忘れ防止装置は、ウィンカーとタイマー回路と警告手段とを備えている。タイマー回路には予め、ウィンカーＯＮから消し忘れ防止回路が起動するまでの時間を設定しておく。
【００１９】
この装置の作動システムを図１に基づいて説明する。
【００２０】
まず、システムをスタートさせる。
【００２１】
この状態で、ウィンカーをＯＮする。同時にタイマー回路が起動し、ＯＮ開始時からの時間を計算し始める。
【００２２】
この時間の積算が、タイマー設定時間以上になったときに、ウィンカー消し忘れ回路が起動し、図２に示すような、計器盤１０に設置されたフラッシュライト（警告手段）１３を点灯させ、ライダーにウィンカーが点灯していることを報知する。なお、図２において、１１はスピードメーター、１２はタコメーターである。また、フラッシュライト（警告手段）１３の点灯と同時に、自動二輪車ＭのフロントカウリングＦの内壁面に設置された警報ブザー（警告手段）Ｂを作動させることもできる（図３参照）。この警報ブザーＢは、ステアリングヘッド２６に設置された前記計器盤１０の上方に位置しているため、フラッシュライト（警告手段）１３の点灯を確認しながら、聴き取りやすいものである。なお、図３において、２１はフレーム、２２はフロントフォーク、２３は前輪、２４は操向ハンドル、２５はヘッドライトである。
【００２３】
ウィンカーが点灯されていることを報知されたとき、ライダーにとって消し忘れの場合にはウィンカーをＯＦＦにすればよい。また、設定時間以上にウィンカーの点灯が必要な場合、例えば、信号の長い交差点、路上駐車の場合にはウィンカーのそのまま点灯状態を維持し、必要状態が解消されたときにウィンカーをＯＦＦにすればよい。
【産業上の利用可能性】
【００２４】
この発明に係る自動二輪車用ウィンカー消し忘れ防止装置は、ウィンカーの消し忘れを防止できるとともに長時間（設定時間以上）にわたってウィンカーの点灯が必要な場合、例えば、信号の長い交差点、路上駐車の場合にもウィンカーの点灯状態を維持させることができるため、ライダーにとって安全な走行を確保することができる。よって、産業上の利用可能性は高いものである。
【図面の簡単な説明】
【００２５】
【図１】図１はこの発明に係る自動二輪車用ウィンカー消し忘れ防止装置の作動システムの流れ図である。
【図２】図２は自動二輪車の同計器盤の正面図である。
【図３】図３は自動二輪車における警告手段の使用状態を示した図である。
【符号の説明】
【００２６】
Ｍ    …  自動二輪車
Ｆ    …  フロントカウリング
Ｂ    …  警報ブザー（警告手段）
１０  …  計器盤（自動二輪車用）
１１  …  スピードメーター
１２  …  タコメーター設置空間
１３  …  フラッシュライト（警告手段）
２１  …  フレーム
２２  …  フロントフォーク
２３  …  前輪
２４  …  操向ハンドル
２５  …  ヘッドライト
２６  …  ステアリングヘッド
【図１】
2012153241.tif 000003
【図２】
2012153241.tif 000004
【図３】
2012153241.tif 000005
【手続補正書】
【提出日】平成23年3月14日(2011.3.14)
【手続補正１】
【補正対象書類名】明細書
【補正対象項目名】００２６
【補正方法】変更
【補正の内容】
【００２６】
Ｍ    …  自動二輪車
Ｆ    …  フロントカウリング
Ｂ    …  警報ブザー（警告手段）
１０  …  計器盤（自動二輪車用）
１１  …  スピードメーター
１２  …  タコメーター設置空間
１３  …  フラッシュライト（警告手段）
２１  …  フレーム
２２  …  フロントフォーク
２３  …  前輪
２４  …  操向ハンドル
２５  …  ヘッドライト
２６  …  ステアリングヘッド
【手続補正２】
【補正対象書類名】図面
【補正対象項目名】図２
【補正方法】変更
【補正の内容】
【図２】
2012153241.tif 000006
【手続補正３】
【補正対象書類名】図面
【補正対象項目名】図３
【補正方法】変更
【補正の内容】
【図３】
2012153241.tif 000007